(57)【要約】【課題】異なる通信方式で無線通信可能な複数のＲＦＩＤタグを用いて、限られたサイズの平面上での各通信方式用のアンテナの実装面積を大きく確保することを可能とする。【解決手段】ＩＣカードが、電磁誘導方式で信号を送受信する第１のアンテナ２１、及び第１のアンテナに接続された第１のＩＣチップ２２を有する第１の基板２と、電波方式で信号を送受信する第２のアンテナ３２、第２のアンテナに接続された第２のＩＣチップ３３、及び第２のアンテナに接続されたグランドプレーン３１を有する第２の基板３と、磁性体材料から形成された磁性体シート４と、を含み、第１の基板及び第２の基板を、両基板間に磁性体シートを介在させ、かつグランドプレーンの少なくとも一部が第１の基板と対向するようにして積層させた構成とする。【選択図】図３
2019169902.tif 000002
【特許請求の範囲】
【請求項１】
電磁誘導方式で信号を送受信する第１のアンテナ、及び前記第１のアンテナに接続された第１のＩＣチップを有する第１の基板と、
電波方式で信号を送受信する第２のアンテナ、前記第２のアンテナに接続された第２のＩＣチップ、及び前記第２のアンテナに接続されたグランドプレーンを有する第２の基板と、
磁性体材料から形成された磁性体シートと、を含み、
前記第１の基板及び前記第２の基板は、前記両基板間に前記磁性体シートを介在させ、かつ前記グランドプレーンの少なくとも一部が前記第１の基板と対向するようにして積層されていることを特徴とするＩＣカード。
【請求項２】
前記第２の基板は、前記第１の基板と位置が重なる本体部分と、前記第１の基板と位置が重ならないように前記本体部分の外周縁から外側に突出して形成された突出部分とを含み、
前記突出部分に前記第２のアンテナ及び前記第２のＩＣチップが配置されていることを特徴とする請求項１に記載のＩＣカード。
【請求項３】
前記磁性体シートは、その中央部分に開口部を含み、
前記開口部は、前記第１の基板の前記第１のアンテナ及び前記第１のＩＣチップと位置が重ならないように形成されていることを特徴とする請求項２に記載のＩＣカード。
【請求項４】
前記第２の基板の外形は、前記第１の基板の外形と略同一の形状を有し、
前記磁性体シートにおける少なくとも前記第２のアンテナと位置が重なる部分が切欠されていることを特徴とする請求項１に記載のＩＣカード。
【請求項５】
前記第１の基板の前記第１のアンテナ及び前記第１のＩＣチップは、前記磁性体シートの前記切欠された部分と位置が重ならないように配置されていることを特徴とする請求項４に記載のＩＣカード。
【請求項６】
電磁誘導方式で信号を送受信する第１のアンテナ、及び前記第１のアンテナに接続された第１のＩＣチップを有する第１の基板からなる第１のＩＣカードを出し入れ自在に収容可能な収容部と、
電波方式で信号を送受信する第２のアンテナ、前記アンテナに接続された第２のＩＣチップ、及び前記第２のアンテナに接続されたグランドプレーンを有する第２の基板と、磁性体材料から形成された磁性体シートと、を積層した第２のＩＣカードと一体的に設けられたケース部材と、を備え、
前記収容部に、前記第１のＩＣカードを収容したとき、前記第１の基板と第２の基板との間に、前記磁性体シートが介在することを特徴とするＩＣカードケース。
【発明の詳細な説明】
【技術分野】
【０００１】
本発明は、異なる通信方式で無線通信可能なＩＣカード及びＩＣカードケースに関する。
【背景技術】
【０００２】
近年、リーダライタを使用してＲＦＩＤタグと無線通信することによって、ＲＦＩＤタグに記録されている情報を読み取るまたはＲＦＩＤタグに情報を書き込むＲＦＩＤシステムの普及が進んでいる。ＲＦＩＤシステムとリーダライタとの通信方式には、電磁誘導を用いて無線通信を行う電磁誘導方式と、電波を用いて無線通信を行う電波方式とがある。このようなＲＦＩＤタグは、例えば認証システムや物品管理システムなどに利用される。
【０００３】
ＲＦＩＤシステムにおいて異なる通信方式を用いる場合、例えば、電磁誘導方式のＲＦＩＤタグを用いた認証システムと、電波方式のＲＦＩＤタグを用いた認証システムとの両方を用いる場合は、ユーザの利便性の観点から、電磁誘導方式のＲＦＩＤタグと電波方式のＲＦＩＤタグとを１つにまとめることが望まれる。
【０００４】
このことを可能にする従来技術が、特許文献１に提案されている。この特許文献１の従来技術には、コイルアンテナ（渦巻状導電性物体）とモノポールアンテナ（導電性物体）とを同一平面上に配置し、電磁誘導方式の通信では、コイルアンテナを使用し、電波方式の通信では、コイルアンテナとモノポールアンテナとを使用するように構成した無線通信装置（ＲＦＩＤタグ）が開示されている。この従来技術によれば、電磁誘導方式及び電波方式の各通信方式においてコイルアンテナを共有することにより、ＩＣカード等の限られたサイズの平面上での各通信方式用のアンテナの実装面積を、各アンテナを互いに並設した場合よりも大きく確保することができるとしている。
【先行技術文献】
【特許文献】
【０００５】
【特許文献１】特許第５０５１２１３号
【発明の概要】
【発明が解決しようとする課題】
【０００６】
しかしながら、上記の特許文献１の従来技術は、各通信方式用のアンテナは同一平面上に配置されているため、依然として、限られたサイズの平面上での各アンテナの実装面積を大きく確保することができないという問題があった。各アンテナの実装面積を大きく確保できないと、各アンテナは十分なアンテナ特性を得ることができない。
【０００７】
本発明は、このような従来技術の課題を鑑みて案出されたものであり、異なる通信方式で無線通信可能な複数のＲＦＩＤタグを用いて、限られたサイズの平面上での各通信方式用のアンテナの実装面積を大きく確保することが可能なＩＣカード及びＩＣカードケースを提供することを主目的とする。
【課題を解決するための手段】
【０００８】
本発明のＩＣカードは、電磁誘導方式で信号を送受信する第１のアンテナ、及び前記第１のアンテナに接続された第１のＩＣチップを有する第１の基板と、電波方式で信号を送受信する第２のアンテナ、前記第２のアンテナに接続された第２のＩＣチップ、及び前記第２のアンテナに接続されたグランドプレーンを有する第２の基板と、磁性体材料から形成された磁性体シートと、を含み、前記第１の基板及び前記第２の基板は、前記両基板間に前記磁性体シートを介在させ、かつ前記グランドプレーンの少なくとも一部が前記第１の基板と対向するようにして積層されていることを特徴とする。
【発明の効果】
【０００９】
本発明によれば、異なる通信方式で無線通信可能な複数のＲＦＩＤタグを用いて、限られたサイズの平面上での各通信方式用のアンテナの実装面積を大きく確保することが可能となる。
【図面の簡単な説明】
【００１０】
【図１】本発明の第１実施形態に係るＩＣカードを示す斜視図
【図２】図１に示したＩＣカードの分解斜視図
【図３】本発明の第１実施形態に係るＩＣカードの各構成要素を示す平面図
【図４】本発明の第２実施形態に係るＩＣカードの各構成要素を示す平面図
【図５】本発明の第３実施形態に係るＩＣカードの各構成要素を示す平面図
【図６】本発明の第４実施形態に係るＩＣカードの各構成要素を示す平面図
【図７】本発明の第５実施形態に係るＩＣカードケースを示す平面図
【図８】ケース部材の収容部に既存のＩＣカードを収容する前の状態を示す斜視図
【図９】ケース部材の収容部に既存のＩＣカードを収容した後の状態を示す斜視図
【発明を実施するための形態】
【００１１】
前記課題を解決するためになされた第１の発明は、電磁誘導方式で信号を送受信する第１のアンテナ、及び前記第１のアンテナに接続された第１のＩＣチップを有する第１の基板と、電波方式で信号を送受信する第２のアンテナ、前記第２のアンテナに接続された第２のＩＣチップ、及び前記第２のアンテナに接続されたグランドプレーンを有する第２の基板と、磁性体材料から形成された磁性体シートと、を含み、前記第１の基板及び前記第２の基板は、前記両基板間に前記磁性体シートを介在させ、かつ前記グランドプレーンの少なくとも一部が前記第１の基板と対向するようにして積層されていることを特徴とする。
【００１２】
これによると、電磁誘導方式で信号を送受信する第１のアンテナと電波方式で信号を送受信する第２のアンテナとを互いに別の平面に配置することができる。これにより、第１のアンテナ及び第２のアンテナを同一平面上に配置する場合と比べて、限られたサイズの平面上での各アンテナの実装面積を大きく確保することができる。また、第１の基板と第２の基板との間に磁性体シートが介在されているので、第１のアンテナまたは第２のアンテナの通信が阻害されることはない。
【００１３】
また、第２の発明は、上記の第１の発明において、前記第２の基板は、前記第１の基板と位置が重なる本体部分と、前記第１の基板と位置が重ならないように前記本体部分の外周縁から外側に突出して形成された突出部分とを含み、前記突出部分に前記第２のアンテナ及び前記第２のＩＣチップが配置されていることを特徴とする。
【００１４】
これによると、第２のアンテナを第１の基板側（すなわち、ＩＣカードの表側）に露出させることができるので、第２のアンテナのアンテナ特性を向上させることが可能となる。
【００１５】
また、第３の発明は、上記の第２の発明において前記磁性体シートは、その中央部分に開口部を含み、前記開口部は、前記第１の基板の前記第１のアンテナ及び前記第１のＩＣチップと位置が重ならないように形成されていることを特徴とする。
【００１６】
これによると、磁性体シートをより少ない量の磁性体材料から形成することができるので、ＩＣカードの製造コストを削減することが可能となる。また、グランドプレーンにおける開口部と位置が重なる部分、すなわち磁性体シートと接しない部分を、第２のアンテナの一部として機能させることができる。これにより、第２のアンテナのアンテナ特性を向上させることが可能となる。
【００１７】
また、第４の発明は、上記の第１の発明において、前記第２の基板の外形は、前記第１の基板の外形と略同一の形状を有し、前記磁性体シートにおける少なくとも前記第２のアンテナと位置が重なる部分が切欠されていることを特徴とする。
【００１８】
これによると、第２の基板を矩形状に形成することができる。これにより、本発明のＩＣカードを既存のＩＣカードと同様に使用することが可能となるので、例えば収納時や使用時におけるユーザの利便性が向上する。また、磁性体シートが第２のアンテナと位置が重ならないようにすることができるので、第２のアンテナのアンテナ特性を向上させることが可能となる。
【００１９】
また、第５の発明は、上記の第４の発明において、前記第１の基板の前記第１のアンテナ及び前記第１のＩＣチップは、前記磁性体シートの前記切欠された部分と位置が重ならないように配置されていることを特徴とする。
【００２０】
これによると、第１のアンテナと第２のアンテナとの相互干渉を防止することができる。これにより、第１のアンテナ及び第２のアンテナのアンテナ特性をさらに向上させることが可能となる。
【００２１】
また、第６の発明は、電磁誘導方式で信号を送受信する第１のアンテナ、及び前記第１のアンテナに接続された第１のＩＣチップを有する第１の基板からなる第１のＩＣカードを出し入れ自在に収容可能な収容部と、電波方式で信号を送受信する第２のアンテナ、前記アンテナに接続された第２のＩＣチップ、及び前記第２のアンテナに接続されたグランドプレーンを有する第２の基板と、磁性体材料から形成された磁性体シートと、を積層した第２のＩＣカードと一体的に設けられたケース部材と、を備え、前記収容部に、前記第１のＩＣカードを収容したとき、前記第１の基板と第２の基板との間に、前記磁性体シートが介在することを特徴とするＩＣカードケースである。
【００２２】
これによると、第２の基板及び磁性体シートと一体的に設けられたケース部材に、電磁誘導方式の既存のＩＣカードを収容することによって、異なる通信方式による無線通信を可能にするとともに、限られたサイズの平面上での各通信方式用のアンテナの実装面積を大きく確保することが可能となる。
【００２３】
以下、本発明の実施形態について、図面を参照しながら説明する。
【００２４】
（第１実施形態）
まず、本発明の第１実施形態について説明する。図１は、本発明の第１実施形態に係るＩＣカードを示す斜視図であり、図２は、図１に示したＩＣカードの分解斜視図である。
【００２５】
図１及び図２に示すように、ＩＣカード１は、第１の基板２と、第２の基板３と、磁性体シート４とを含む。第１の基板２と第２の基板３とを、磁性体シート４を介在させて互いに積層させることにより、図１に示すＩＣカード１が構成される。一例として、第１の基板２がＩＣカード１の表側、第２の基板３がＩＣカード１の裏側とする。
【００２６】
図３は、ＩＣカード１の各構成要素を示す平面図であり、（ａ）は第１の基板２、（ｂ）は磁性体シート４、（ｃ）は第２の基板３をそれぞれ示す。
【００２７】
図３（ａ）に示すように、第１の基板２は矩形状（カード状）の外形を有する。この第１の基板２には、第１の基板２の外周に沿ってループ状に周回して配置されたアンテナコイルである第１のアンテナ２１と、第１のアンテナ２１の両端が接続された第１のＩＣチップ２２とが実装されている。また、図示しないが、第１の基板２の露出面は、ポリエチレンテレフタレート（ＰＥＴ）、ＰＰ（ポリプロピレン）、塩化ビニル（ＰＶＣ）等の表面保護材料でコーティングされており、第１のアンテナ２１と磁性体シート４は接触しない。
【００２８】
第１のアンテナ２１は、図示しない電磁誘導方式リーダライタと、電磁誘導方式で信号の送受信を行う。電磁誘導方式とは、ＲＦＩＤタグのアンテナコイルとリーダライタのアンテナコイルとを磁束結合させて信号の送受信を行う通信方式のことである。第１のアンテナ２１と電磁誘導方式リーダライタとの間での信号の送受信は、ＨＦ帯の周波数（例えば１３．５６ＭＨｚ）を使用して行われる。第１のアンテナ２１が、電磁誘導方式リーダライタから受信した信号は第１のＩＣチップ２２に出力される。
【００２９】
第１のＩＣチップ２２には、例えば個人の認証情報や物品の管理情報などの様々な情報が記憶されるとともに、所定の演算処理機能等が搭載されている。この第１のＩＣチップ２２は、第１のアンテナ２１から入力された信号に含まれる命令に基づいて演算処理を実行し、その処理結果を第１のアンテナ２１に出力する。そして、第１のアンテナ２１は、第１のＩＣチップ２２から入力された処理結果を含む信号を電磁誘導方式リーダライタに送信する。
【００３０】
図３（ｃ）に示すように、第２の基板３は、第１の基板２と略同一の矩形状の外形を有する本体部分３ａと、本体部分３ａの外周縁から外側に突出した突出部分３ｂとを含む。突出部分３ｂの外形は、本体部分３ａの外形よりも小さいサイズに形成されている。突出部分３ｂは、矩形状の外形を有し、本体部分３ａの右上側に、本体部分３ａと連続して形成されている。なお、突出部分３ｂの位置は本体部分３ａの右上側に限定されるものではなく、本体部分３ａと連続するのであれば、他の様々な位置であってよい。また、突出部分３ｂの形状及びサイズも任意に変更可能である。
【００３１】
本体部分３ａには、全面が金属であるグランドプレーン３１が形成されており、突出部分３ｂには、メアンダ状の第２のアンテナ３２と、グランドプレーン３１に接続された第２のＩＣチップ３３とが実装されている。ここで、グランドプレーン３１と第２のＩＣチップ３３は、メアンダ状のラインで接続されている。そして、第２のアンテナ３２の一端は、グランドプレーン３１に接続されている。
【００３２】
なお、第２のアンテナ３２の形状はメアンダ状に限定されるものではなく、直線状（例えば逆Ｌ字状）、折り返し状、ループ状などの様々な形状であってもよい。また、第２のアンテナ３２のサイズも任意に変更可能である。また、グランドプレーン３１と第２のＩＣチップ３３を接続するラインの形状は、メアンダ状に限定されるものではなく、様々な形状であってもよい。
【００３３】
第２のアンテナ３２は、図示しない電波方式リーダライタと、電波方式で信号の送受信を行う。電波方式とは、ＲＦＩＤタグのアンテナとリーダライタのアンテナとの間で電波をやりとりして信号の送受信を行う通信方式のことである。第２のアンテナ３２と電波方式リーダライタとの間の信号の送受信は、ＵＨＦ帯の周波数（例えば９２０ＭＨｚ）を使用して行われる。第２のアンテナ３２が、電波方式リーダライタから受信した信号は第２のＩＣチップ３３に出力される。
【００３４】
第２のＩＣチップ３３は、第１のＩＣチップ２２と同様に、例えば個人の認証情報や物品の管理情報などの様々な情報が記憶されるとともに、所定の演算処理機能等が搭載されている。この第２のＩＣチップ３３は、第２のアンテナ３２から入力された信号に含まれる命令に基づいて演算処理を実行し、その処理結果を第２のアンテナ３２に出力する。そして、第２のアンテナ３２は、第２のＩＣチップ３３から入力された処理結果を含む信号を電波方式リーダライタに送信する。
【００３５】
図３（ｂ）に示す磁性体シート４は、第１の基板２と略同一の矩形状の外形を有する。磁性体シート４は、磁性体材料から形成されており、第１の基板２の第１のアンテナ２１が、近接する第２の基板３のグランドプレーン３１から受ける影響を抑制する役割を果たす。これにより、第１のアンテナ２１が図示しないＩＣカード１の表側にある電磁誘導方式リーダライタと無線通信を行うときに、グランドプレーン３１に渦電流が流れて反作用磁束が生成されるのを抑制することができる。そして、カードリーダ側からの発振磁界が磁性体シート４に吸収され、磁性体シート４を通過し、グランドプレーン３１で反射してリーダライタに戻る磁路を形成し、リーダライタ側と第１のアンテナ２１が電磁結合して、リーダライタとの通信ができる。また、電磁誘導方式リーダライタがＩＣカード１の裏側にあっても、ＩＣカード１の裏側に回り込む磁界によって、リーダライタとの通信ができる。また、第２のアンテナ３２が電波方式リーダライタと無線通信を行うとき、第２のアンテナ３２は、第２のＩＣチップ３３を介して広い面積を有するグランドプレーン３１と接続されるため、アンテナ性能を確保することができる。
【００３６】
このように構成されたＩＣカード１は、第１のアンテナ２１を第１の基板２に配置し、第２のアンテナ３２を第２の基板３に配置することにより、第１のアンテナ２１と第２のアンテナ３２とを互いに別の平面に配置することができる。これにより、第１のアンテナ２１及び第２のアンテナ３２を同一平面上に配置する場合と比べて、限られたサイズの平面上での各アンテナ２１、３２の実装面積を大きく確保することができる。
【００３７】
また、第２のアンテナ３２を、第２の基板３の突出部分３ｂに配置することにより、磁性体シート４との接触を回避することができるので、第２のアンテナ３２のアンテナ特性（例えば、利得や放射効率など）を向上させることが可能となる。
【００３８】
なお、本実施形態では、第１のＩＣチップ２２及び第２のＩＣチップ３３は、リーダライタから受信した信号を電源とするパッシブ型としたが、第１のＩＣチップ２２及び第２のＩＣチップ３３は、図示しない内蔵電池を電源とするアクティブ型であってもよい。
【００３９】
（第２実施形態）
次に、本発明の第２実施形態について説明する。なお、この第２実施形態では、以下で特に言及しない事項については、上述の第１実施形態の場合と同様とする。この第２実施形態は、磁性体シート４に開口部４１が形成されている点が上記の第１実施形態と異なる。
【００４０】
図４は、本発明の第２実施形態に係るＩＣカード１の各構成要素を示す平面図であり、（ａ）は第１の基板２、（ｂ）は磁性体シート４、（ｃ）は第２の基板３をそれぞれ示す。図４（ａ）の第１の基板２及び図４（ｃ）の第２の基板３は、上記の第１実施形態と同様なので説明は省略する。
【００４１】
図４（ｂ）に示すように、磁性体シート４は、その中央部分に設けられた開口部４１と、開口部４１を取り囲む外周部４２とを含む。開口部４１は矩形状に開口するように形成されており、第１の基板２の第１のアンテナ２１と位置が重ならないように形成されている。外周部４２は、第１の基板２の第１のアンテナ２１と位置が重なるように形成されている。
【００４２】
このように、磁性体シート４の中央部分に開口部４１を設けると、磁性体シート４をより少ない量の磁性体材料から形成することができるので、ＩＣカード１の製造コストを削減することが可能となる。また、グランドプレーン３１における開口部４１と位置が重なる部分、すなわち磁性体シート４と接しない部分が形成されるため、その部分を第２のアンテナ３２のグランドプレーンとして効率よく機能させることができる。これにより、第２のアンテナ３２のアンテナ特性を向上させることが可能となる。
【００４３】
（第３実施形態）
次に、本発明の第３実施形態について説明する。なお、この第３実施形態では、以下で特に言及しない事項については、上述の第１実施形態の場合と同様とする。この第３実施形態は、第２の基板３が、突出部分３ｂを有していない点と、磁性体シート４に切欠部４３が形成されている点が上記の第１実施形態と異なる。
【００４４】
図５は、本発明の第３実施形態に係るＩＣカード１の各構成要素を示す平面図であり、（ａ）は第１の基板２、（ｂ）は磁性体シート４、（ｃ）は第２の基板３をそれぞれ示す。図４（ａ）の第１の基板２は、上記の第１実施形態と同様なので説明は省略する。
【００４５】
図５（ｃ）に示すように、第２の基板３は、第１の基板２と略同一の矩形状に形成されている。第２の基板３の右上側部分には、第２のアンテナ３２及び第２のＩＣチップ３３を実装するための実装領域３４が設けられている。この実装領域３４は、図３（ｃ）に示した突出部分３ｂと略同一の矩形状に形成されている。グランドプレーン３１は、第２の基板３における、実装領域３４以外の部分に形成されている。
【００４６】
そして、図５（ｂ）に示すように、磁性体シート４における実装領域３４と位置が重なる部分は切欠されている。すなわち、磁性体シート４における右上側の部分には、実装領域３４と略同一の矩形状を有する切欠部４３が形成されている。
【００４７】
このように、第２の基板３を第１の基板２と略同一の矩形状に形成することにより、ＩＣカード１を既存のＩＣカードと同様に使用することが可能となるので、例えば収納時や使用時におけるユーザの利便性が向上する。また、磁性体シート４に切欠部４３を形成することにより、磁性体シート４が第２のアンテナ３２と位置が重ならないようにすることができるため、第２のアンテナ３２のアンテナ特性を向上させることができる。
【００４８】
なお、図５の例では、第２の基板３の実装領域３４の位置は、第２の基板３の右上側部分としたが、これに限定されるものではなく、他の様々な位置であってよい。ただし、第２のアンテナ３２のアンテナ特性を考慮すると、実装領域３４は第２の基板３の角部に設けることが望ましい。また、実装領域３４の形状及びサイズも任意に変更可能である。
【００４９】
（第４実施形態）
次に、本発明の第４実施形態について説明する。なお、この第４実施形態では、以下で特に言及しない事項については、上述の第３実施形態の場合と同様とする。この第４実施形態は、第１の基板２の第１のアンテナ２１が磁性体シート４の切欠部４３と位置が重ならないように配置されている点が上記の第３実施形態と異なる。
【００５０】
図６は、本発明の第４実施形態に係るＩＣカード１の各構成要素を示す平面図であり、（ａ）は第１の基板２、（ｂ）は磁性体シート４、（ｃ）は第２の基板３をそれぞれ示す。図５（ｂ）の磁性体シート４、及び図５（ｃ）の第２の基板３は、上記の第３実施形態と同様なので説明は省略する。
【００５１】
図６（ａ）に示すように、第１の基板２の第１のアンテナ２１及び第１のＩＣチップ２２は、磁性体シート４の切欠部４３と位置が重ならないように、第１の基板２の右上側部分を避けて配置されている。すなわち、第１のアンテナ２１の上辺２１ａの右側は、磁性体シート４の切欠部４３の左辺４３ａに沿って下側に折れ曲がった後、切欠部４３の下辺４３ｂに沿って、右側に折れ曲がっている。なお、第１のＩＣチップ２２は、第１の基板２の左側部分に配置されているので、磁性体シート４の切欠部４３とは位置が重ならない。
【００５２】
このように、第１の基板２の第１のアンテナ２１を第２の基板３の実装領域３４と位置が重ならないように配置することにより、第１のアンテナ２１と第２のアンテナ３２との相互干渉を抑制することができる。これにより、第１のアンテナ２１及び第２のアンテナ３２のアンテナ特性をさらに向上させることが可能となる。
【００５３】
（第５実施形態）
次に、本発明の第５実施形態について説明する。なお、この第５実施形態では、以下で特に言及しない事項については、上述の第１実施形態または第２実施形態または第３実施形態の場合と同様とする。この第５実施形態は、ケース部材５をさらに含む点がこれらの実施形態と異なる。
【００５４】
図７は、本発明の第５実施形態に係るＩＣカードケース７を示す平面図である。図７に示すように、本発明の第５実施形態に係るＩＣカードケース７は、ケース部材５と、電磁誘導方式の既存のＩＣカード６を出し入れ自在に収容可能な収容部５１と、第２の基板３と、磁性体シート４とから構成されている。収容部５１に収容される既存のＩＣカード６は、第１実施形態の第１の基板２と同一の構成を有しているものとする。第２の基板３及び磁性体シート４は積層させた状態で、ケース部材５と一体化されている。
【００５５】
ケース部材５は、一般的なＩＤカードホルダと同様な形状に形成されており、ここでは、ユーザの首にかけるためのストラップ５２を有しているものとする。また、ケース部材５は、ＩＣカード６を出し入れ自在に収容可能な収容部５１を有している。図８は、ケース部材５の収容部５１に既存のＩＣカード６を収容する前の状態を示す斜視図であり、図９は、収容部５１に既存のＩＣカード６を収容した後の状態を示す斜視図である。
【００５６】
収容部５１は、ＩＣカード６を収容したときに、ＩＣカード６が磁性体シート４に対して積層されるように、ＩＣカード６を位置合わせすることができるように構成されている。したがって、図９に示すように、収容部５１にＩＣカード６を収容することにより、ＩＣカード６を磁性体シート４に対して積層させることができる。すなわち、ＩＣカード６、磁性体シート４、及び第２の基板３がその順番で互いに積層した、第１実施形態と同様の三層構造（図２参照）を構成することができる。
【００５７】
なお、図７、図８、及び図９においては、第１実施形態の第２の基板３と磁性体シート４を積層させた状態を図示しているが、第２実施形態の第２の基板３と磁性体シート４を積層させたもの、または、第３実施形態の第２の基板３と磁性体シート４を積層させたものであってよい。
【００５８】
このように、この第５実施形態によれば、電磁誘導方式のＩＣカード６を用いて、上記の第１実施形態、第２実施形態、第３実施形態と同様の構成を実現することができる。すなわち、電磁誘導方式の既存のＩＣカード６をＩＣカードケース７に収容することで、異なる通信方式で無線通信可能な複数のＲＦＩＤタグを積層する構成とするとともに、限られたサイズの平面上での各通信方式用のアンテナの実装面積を大きく確保することが可能となる。
【００５９】
以上、本発明を特定の実施形態に基づいて説明したが、これらの実施形態はあくまでも例示であって、本発明はこれらの実施形態によって限定されるものではない。また、上記実施形態に示した本発明に係るＩＣカード及びＩＣカードケースの各構成要素は、必ずしも全てが必須ではなく、少なくとも本発明の範囲を逸脱しない限りにおいて適宜取捨選択することが可能である。
【産業上の利用可能性】
【００６０】
本発明に係るＩＣカード及びＩＣカードケースは、異なる通信方式で無線通信可能な複数のＲＦＩＤタグを用いて、限られたサイズの平面上での各通信方式用のアンテナの実装面積を大きく確保することを可能とする、ＩＣカード及びＩＣカードケース等として有用である。
【符号の説明】
【００６１】
１    ＩＣカード
２    第１の基板
３    第２の基板
４    磁性体シート
５    ケース部材
６    電磁誘導方式の既存のＩＣカード
７    ＩＣカードケース
２１  第１のアンテナ
２２  第１のＩＣチップ
３ａ  本体部分
３ｂ  突出部分
３１  グランドプレーン
３２  第２のアンテナ
３３  第２のＩＣチップ
３４  実装領域
４１  開口部
４２  外周部
４３  切欠部
５１  収容部
５２  ストラップ
【図１】
2019169902.tif 000003
【図２】
2019169902.tif 000004
【図３】
2019169902.tif 000005
【図４】
2019169902.tif 000006
【図５】
2019169902.tif 000007
【図６】
2019169902.tif 000008
【図７】
2019169902.tif 000009
【図８】
2019169902.tif 000010
【図９】
2019169902.tif 000011